(57)【要約】【課題】鳥類が電柱に営巣することをより確実に防止することを可能にした営巣防止具を提供すること。【解決手段】営巣防止具１は、上下方向に延びるように、電柱に取り付けられる棒状部材１０と、棒状部材１０の所定部位に配置され、所定部位から斜め上方に向かって延びる複数のロッド２４を有する障害部２０と、を備え、鳥類が電柱に営巣するために近づいても、斜め上方に向かって延びる複数のロッド２４が障害となり、鳥類が電柱における営巣場所に到達することが困難になる。【選択図】図１
2016000009.tif 000002
【特許請求の範囲】
【請求項１】
鉛直上方に延びるように、電柱に固定される棒状部材と、
当該棒状部材に挿抜自在な筒状に形成される取付部及び当該取付部から延びる複数のロッドを有する障害部と、
を備え、
前記ロッドは、前記取付部が取り付けられた前記棒状部材が電柱に固定された場合に、斜め上方に延びることを特徴とする営巣防止具。
【請求項２】
前記ロッドは、少なくとも根元部分に弾性を有することを特徴とする請求項１記載の営巣防止具。
【請求項３】
前記ロッドは、ゴム部材からなることを特徴とする請求項１又は２記載の営巣防止具。
【請求項４】
前記棒状部材の上端部に着脱自在に取り付けられ、前記取付部が前記棒状部材の上端を越えて移動することを規制する蓋部を更に備えることを特徴とする請求項１乃至３のいずれか１項記載の営巣防止具。
【発明の詳細な説明】
【技術分野】
【０００１】
本発明は、電柱に設置され、鳥類が電柱に営巣することを防止する営巣防止具に関する。
【背景技術】
【０００２】
従来、電柱設備にカラスのような鳥類が営巣すると、この巣が原因となって停電が発生する危険性がある。例えば、電柱の上に、鳥類が巣作りのために針金類を運んできた場合には、この針金が電線に接触してショートするおそれがある。
【０００３】
そこで、従来、電柱に障害物等を取り付けることにより、鳥類が営巣できないようにすることが提案されている。例えば、特許文献１によれば、電柱の側面に、複数の枝棒を下向き傾斜状に垂れ下がるように取り付けることにより、巣作りのための針金等が落下するようにして営巣を困難にする、という技術が提案されている。
【先行技術文献】
【特許文献】
【０００４】
【特許文献１】特開２００４−３１３００５号公報
【発明の概要】
【発明が解決しようとする課題】
【０００５】
しかしながら、特許文献１に記載された防止具によれば、枝棒は、絶縁性及び剛性の高いガラス繊維からなり、その外周面にポリエチレン樹脂皮膜を施すことによって構成されている。この場合、ポリエチレン樹脂皮膜が部分的に剥がれる等、枝棒の表面に凹凸が形成された場合、鳥類が営巣とために運んできた素材が枝棒から落下しにくくなり、結果として営巣されるおそれがある。特に、防止具の最上部に営巣されると、鳥類がその巣に出入りする際に障害となるものがないため、親鳥が自由に巣作りを行えるようになり、その結果、停電等が発生する可能性が高くなる。
【０００６】
本発明は、このような問題点を解決し、鳥類が電柱に営巣することをより確実に防止することを可能にした営巣防止具を提供することを目的とする。
【課題を解決するための手段】
【０００７】
前記目的を達成するため、本発明は、次に記載する構成を備えている。
【０００８】
（１）  鉛直上方に延びるように、電柱に固定される棒状部材と、当該棒状部材に挿抜自在な筒状に形成される取付部及び当該取付部から延びる複数のロッドを有する障害部と、を備え、前記ロッドは、前記取付部が取り付けられた前記棒状部材が電柱に固定された場合に、斜め上方に延びることを特徴とする営巣防止具。
【０００９】
（１）によれば、営巣防止具を例えば電柱の腕金に設置した状態においては、ロッドが斜め上方に延びているため、空から電柱に近づく鳥類にロッドの先端が対向する。このため、鳥類が空から電柱に近づいて腕金に営巣しようとしても、鳥類にロッドが刺さるために、鳥類が腕金に到達することが困難になる。このように、鳥類が電柱に営巣することをより確実に防止することが可能になる。
【００１０】
（２）  （１）において、前記ロッドは、少なくとも根元部分に弾性を有することを特徴とする営巣防止具。
【００１１】
（３）  （１）、（２）において、前記ロッドは、ゴム部材からなることを特徴とする営巣防止具。
【００１２】
（２）、（３）によれば、鳥類がロッドにとまった場合にロッドが折れ曲がってしまうことにより、鳥類がその場にとどまることができなくなる。これにより、鳥類が営巣防止具に営巣することを防止することが可能になる。
【００１３】
（４）  （１）〜（３）において、前記棒状部材の上端部に着脱自在に取り付けられ、前記取付部が前記棒状部材の上端を越えて移動することを規制する蓋部を更に備えることを特徴とする営巣防止具。
【００１４】
（４）によれば、蓋部が取付部の移動を規制することによって、取付部が棒状部材から抜けることが防止できる。また、蓋部を外すことによってロッドが劣化した場合等、障害部の交換が必要な場合に、交換作業が容易に可能となる。
【発明の効果】
【００１５】
本発明によれば、鳥類による電柱への営巣を、より確実に防止することを可能にした営巣防止具を提供することが可能になる。
【図面の簡単な説明】
【００１６】
【図１】本発明の一実施形態における営巣防止具１の構成を示す説明図である。
【図２】図１に示す営巣防止具１を構成する部品を示す説明図である。
【図３】障害部２０を上方から軸方向に視認した図である。
【図４】本実施形態における営巣防止具１の電柱１００への設置例を示す説明図である。
【図５】本実施形態における営巣防止具１の変形例を示す説明図である。
【発明を実施するための形態】
【００１７】
以下、本発明の実施形態について、図面を参照しながら詳細に説明する。
図１は、本発明の一実施形態における営巣防止具１の構成を示す説明図、図２は、図１に示す営巣防止具１を構成する部品を示す説明図である。営巣防止具１は、棒状部材１０と、蓋部１２と、鍔部１４と、障害部２０と、を備えている。
【００１８】
棒状部材１０は、ポリエチレン樹脂によって構成された円柱形状の長尺部材である。この棒状部材１０は、詳細については後述するが、電柱１００の腕金１０２等に設置される。この時、棒状部材１０は、鉛直上方に沿って延びるように設置される。棒状部材１０の上端部は筒状に形成されており、上端部の内面にはねじ溝が形成されている。
【００１９】
蓋部１２は、ポリエチレン樹脂によって構成されており、円板部１２ａと、円柱部１２ｂとからなる。蓋部１２は、円板部１２ａの中央に、この円板部１２ａより小径の円柱部１２ｂが立設してなる部材である。蓋部１２の円柱部１２ｂの側面には、棒状部材１０の上端部のネジ溝に螺合するねじ山が形成されている。円板部１２ａの直径は、棒状部材１０の直径よりも長く設定されている。このため、蓋部１２は棒状部材１０の上端部に着脱自在である。
【００２０】
鍔部１４は、ポリエチレン樹脂によって構成された円板状の部材からなり、中央に棒状部材１０が挿通される孔部が形成されている。鍔部１４は、棒状部材１０に通されて所定部位に固定される。なお、鍔部１４は、棒状部材１０と一体成形することによって形成されてもよい。
【００２１】
本実施形態においては、棒状部材１０の長さが２９ｃｍ、太さが１．５ｃｍ、上端部の内径が１ｃｍに設定されている。また、蓋部１２における円板部の直径が２．０ｃｍ、円柱部の直径が１．０ｃｍで長さが２．０ｃｍに設定されている。鍔部１４の直径は約３．０ｃｍで中央の孔部の直径が約１．５ｃｍであり、鍔部１４は、棒状部材１０における下端から５ｃｍの部位に固定されている。
【００２２】
障害部２０は、取付部に相当する円筒部２２と、ロッド２４と、によって構成されている。本実施形態においては円筒部２２及びロッド２４がともにゴム部材からなる。円筒部２２の内径は、棒状部材１０よりも若干大きく設定されている。また、円筒部２２の長さは１５ｃｍに設定されている。このため、円筒部２２は、棒状部材１０に対して挿入、抜き取り自在である。なお、円筒部２２は、棒状部材１０の上端に対して下端側から挿入されるものとする。
【００２３】
ロッド２４は、棒状部材１０よりも細い円柱形の長尺部材であり、基端部は円筒部２２に固定され、先端部は斜め上方に向かって延びている。ロッド２４は、棒状部材１０における長手方向に並ぶ所定の３箇所からそれぞれ４本ずつ延出している。本実施形態によれば、ロッド２４の長さは８ｃｍである。また、障害部２０を上方から軸方向に視認した場合、図３に示すように、４本のロッド２４は、十字状に配置されており、障害部２０を側面視した場合、図１に示すように、互いに対向する２本のロッド２４によってＶ字が形成される。なお、ロッド２４は、自重によっては撓まないが、鳥類がとまった場合等、所定の重量が加わった場合に大きく撓む若しくは屈曲するような剛性を有するゴム部材からなることが望ましい。
【００２４】
そして、棒状部材１０に障害部２０を挿入し、円筒部２２の下端と鍔部１４とを当接させてから、円筒部２２の上端部に蓋部１２を螺合させることにより、営巣防止具１が組み立てられる。これにより、障害部２０が棒状部材１０の上端側に移動しても、蓋部１２に当接することにより、障害部２０のそれ以上の移動が蓋部１２によって規制される。
【００２５】
図４は、本実施形態における営巣防止具１の電柱１００への設置例を示す説明図である。電柱１００は、柱本体１０１と、腕金１０２と、足場（図示せず）等と、を備えている。
【００２６】
営巣防止具１は、柱本体１０１の最上部に配置され、複数のピン碍子１０４が設置される腕金１０２や、変圧器１０６を支持する腕金１０２等に固定される。
【００２７】
営巣防止具１は、棒状部材１０の下端部が固定金具（図示せず）によって腕金１０２に固定されることにより、棒状部材１０が鉛直上方に延びるように電柱１００に設置される。この時、互いに対向する２本のロッド２４によってＶ字が形成され、そのＶ字が鉛直方向に３つ上下方向に並ぶ。
【００２８】
通常、鳥類が電柱上に営巣しようとする場合、空から営巣しようとする場所に近づいていく。この際、ロッド２４が斜め上方を向いていることから、ロッド２４の先端が鳥類に刺すように接触する。このため、鳥類にとってはロッド２４が障害となって、営巣しようとする場所に近づくことが困難になる。また、ロッド２４がゴム部材からなり弾性を有するため、鳥類がロッド２４にとまっても、ロッド２４が下方に屈曲してしまう。このため、鳥類はロッド２４にとまることもできなくなる。
【００２９】
図４に示す設置例によれば、柱本体１０１の上端の腕金１０２上や、変圧器１０６の側方に営巣防止具１が設置されているため、その付近に営巣されることが防止できる。
【００３０】
以上説明したように構成された本実施形態によれば、ロッド２４が斜め上方に延びているため、空から電柱１００に近づく鳥類にロッド２４の先端が対向する。このため、鳥類が空から電柱に近づいて腕金に営巣しようとしても、ロッド２４が刺さるために腕金に到達することが困難になる。このように、鳥類が電柱に営巣することをより確実に防止することが可能になる。
【００３１】
また本実施形態によれば、鳥類がロッド２４にとまった場合に、ロッド２４が折れ曲がってしまうことにより、鳥類がその場にとどまることができなくなる。これにより、鳥類が営巣防止具１に営巣することを防止することが可能になる。
【００３２】
また本実施形態によれば、障害部２０が棒状部材１０に挿入、抜き取り自在であるため、例えば、鳥類がつつくことや風雨等によってロッド２４が劣化した場合に、障害部２０ごと交換することが可能になる。
【００３３】
また本実施形態によれば、４本のロッド２４が十字状に並んでいるため、周方向に隣合うロッド２４、２４同士の間隔が比較的広い。これにより、隣合うロッド２４、２４の上に営巣するための素材を載置することが困難になり、鳥類が障害部２０におけるロッド２４の根元部分に営巣することが困難になる。
【００３４】
以上、本発明の一実施形態について説明したが、本発明は上述した実施形態に限るものではない。例えば、上述した実施形態においては、１本の円筒部２２における上下方向に並ぶ３箇所から、ロッド２４が４本ずつ斜め上方に延在しているが、それに限らず、円筒部２２を３つに分割して、１つの円筒部に４本のロッド２４を対応させた障害部２０を３つ構成する。そして、３つの障害部を順次、棒状部材１０に挿入するように構成してもよい。これにより、劣化していない障害部があれば、引き続き再利用することができる。
【００３５】
また、上述した実施形態においては、対向するロッド２４、２４によるＶ字の角度が全て同じであるが、それに限るものではない。例えば、図５に示すように、下段のロッド２４、２４によるＶ字の角度は大きく、中段のロッド２４、２４によるＶ字の角度は４５度程度とし、上段のロッド２４、２４によるＶ字の角度は小さくなるように設定してもよい。
【００３６】
また、上述した実施形態においては、ロッド２４はゴム部材からなるため、全体が弾性を有しているが、それに限らず、ロッド２４における少なくとも円筒部２２近くの根元部分が弾性を有し、それ以外は硬質部材によって構成されてもよい。これにより、鳥類がロッド２４にとまった場合に、ロッド２４を下方に屈曲させることが可能になり、鳥類がロッド２４にとまることを防止することができる。
【００３７】
また、上述した実施形態においては、蓋部１２が取り付けられた棒状部材１０の上端は平面状であるため、そこに小型の鳥類がとまる可能性がある。そこで、蓋部１２の円板部に鋭利な突起を形成することにより、鳥類が営巣防止具１における棒状部材１０の上端にとまることができないようにしてもよい。また、棒状部材１０の下端側にコイルばねを設け、営巣防止具１が揺動できるようにしてもよい。これにより、鳥類が営巣防止具１における棒状部材１０の上端にとまった場合に棒状部材１０が倒れるため、鳥類が棒状部材１０にとまることを防止することができる。
【符号の説明】
【００３８】
１  営巣防止具
１０  棒状部材
１２  蓋部
１４  鍔部
２０  障害部
２２  円筒部
２４  ロッド
１００  電柱
１０１  柱本体
１０２  腕金
１０４  ピン碍子
１０６  変圧器
【図１】
2016000009.tif 000003
【図２】
2016000009.tif 000004
【図３】
2016000009.tif 000005
【図４】
2016000009.tif 000006
【図５】
2016000009.tif 000007